(57)【特許請求の範囲】
【請求項１】
軸心位置に回転軸挿入孔を有する円筒状の基部の外周に、周方向に等角ピッチで突極が突設された第１磁性体、当該第１磁性体と概略同一形状であって互いの突極を周方向にずらし、かつ軸方向に所定間隔離間して同軸に配置された第２磁性体、および、回転軸挿入孔を有する板状部材であって前記第１磁性体および前記第２磁性体の間に互いに密接して介装された隔壁を有する回転子と、
前記第１磁性体、前記第２磁性体および前記隔壁をそれぞれの回転軸挿入孔に挿通して固着する回転軸と、
前記第１磁性体および前記第２磁性体のそれぞれを囲む固定子鉄心、前記回転子の突極を励磁する界磁起磁力発生部、ならびに、前記回転子に回転トルクを発生させるトルク発生用駆動部を有する固定子とを備える磁気誘導子型の電動機であって、
前記隔壁は、軸方向に見てずれた位置に配置された前記第１磁性体の突極と前記第２磁性体の突極とに挟まれた部位以外の隔壁部分に、孔または切欠が形成されていることを特徴とする電動機。
【請求項２】
前記隔壁は、軸心位置に回転軸挿入孔を有する円盤状の基部と、当該基部の外周に周方向に等角ピッチで突設された突部とから構成され、当該突部間が切り欠かれた形状の磁性部材であって、
前記突部は、軸方向に見てずれた位置に配置された前記第１磁性体の突極と前記第２磁性体の突極との間に配置され、当該突極を磁気的に接続していることを特徴とする請求項１記載の電動機。
【請求項３】
前記隔壁の各突部は同一形状であることを特徴とする請求項２記載の電動機。
【請求項４】
前記隔壁の基部の外径は、前記第１磁性体および前記第２磁性体の基部の外径より大きいことを特徴とする請求項２記載の電動機。
【請求項５】
前記固定子鉄心は、前記第１磁性体を囲む位置に配置される第１固定子鉄心と、前記第２磁性体を囲む位置に配置される第２固定子鉄心とからなり、当該第１固定子鉄心および当該第２固定子鉄心の間かつ前記隔壁を囲む位置に前記界磁起磁力発生部が介装され、
前記隔壁の軸方向の厚みは、前記界磁起磁力発生部の軸方向の厚みより薄いことを特徴とする請求項１記載の電動機。
【発明の詳細な説明】
【技術分野】
【０００１】
この発明は、回転子のコアが鉄などの磁性体で構成された磁気誘導子型の電動機に関する。
【背景技術】
【０００２】
電動コンプレッサおよび電動アシストターボなどのタービンを回転駆動させる電動機は、短い加速時間および高速回転が要求されるので、低イナーシャかつ高トルクであることが望ましい。【０００３】
そこで、例えば特許文献１に係る電動機は、突極をずらして回転軸に配置された第１および第２磁性体を有する回転子と、第１および第２磁性体の間に互いに密接して介装された隔壁と、第１および第２磁性体のそれぞれを囲う固定子鉄心ならびに回転子に回転トルクを発生させるトルク発生用駆動コイルを有する固定子と、固定子に配設されて回転子の突極を励磁する界磁起磁力発生用コイルとを備える構成にし、界磁起磁力発生用コイルにより回転子の突極に磁極を作り出し、トルク発生用駆動コイルにより固定子鉄心の突極に磁極を作り出し、このトルク発生用駆動コイルへの通電を切り替えてＳ極とＮ極を切り換えることにより回転トルクを生じさせるようにしていた。これにより、回転子に、永久磁石等の遠心力に問題のある部材を使わないので、高速回転での耐遠心力性能を高めることができる。また、第１磁性体と第２磁性体の間に隔壁を設けることにより、回転軸方向の風の流れを遮って風損を低減でき、モータ効率を高めることができる。
【先行技術文献】
【特許文献】
【０００４】
【特許文献１】特開２００９−５５７２号公報
【発明の概要】
【発明が解決しようとする課題】
【０００５】
上記特許文献１では隔壁を設けたことにより風損低減およびトルク向上のメリットがある一方、トレードオフ的に、隔壁の分だけ回転子の体積が増してイナーシャが増加するという課題があった。【０００６】
この発明は、上記のような課題を解決するためになされたもので、隔壁の風損低減効果を損なうことなくイナーシャを低減した電動機を提供することを目的とする。
【課題を解決するための手段】
【０００７】
この発明の電動機は、軸心位置に回転軸挿入孔を有する円筒状の基部の外周に、周方向に等角ピッチで突極が突設された第１磁性体、当該第１磁性体と概略同一形状であって互いの突極を周方向にずらし、かつ軸方向に所定間隔離間して同軸に配置された第２磁性体、および、回転軸挿入孔を有する板状部材であって第１磁性体および第２磁性体の間に互いに密接して介装された隔壁を有する回転子と、第１磁性体、第２磁性体および隔壁をそれぞれの回転軸挿入孔に挿通して固着する回転軸と、第１磁性体および第２磁性体のそれぞれを囲む固定子鉄心、回転子の突極を励磁する界磁起磁力発生部、ならびに、回転子に回転トルクを発生させるトルク発生用駆動部を有する固定子とを備え、隔壁は、軸方向に見てずれた位置に配置された第１磁性体の突極と第２磁性体の突極とに挟まれた部位以外の隔壁部分に、孔または切欠が形成されているものである。
【発明の効果】
【０００８】
この発明によれば、隔壁に孔または切欠が形成されたことにより、体積を減少させてイナーシャを低減することができる。一方で、軸方向に見てずれた位置に配置された第１磁性体の突極と第２磁性体の突極とに挟まれた部位には隔壁が存在するため、これら突極間の隙間を通って第１磁性体から第２磁性体に流れる軸方向の気流を遮断することができ、風損を低減できる。よって、隔壁の風損低減効果を損なうことなくイナーシャを低減した電動機を提供することができる。
【図面の簡単な説明】
【０００９】
【図１】この発明の実施の形態１に係る電動機の構成を示す一部破断斜視図である。
【図２】実施の形態１に係る電動機の回転子の一例を示し、図２（ａ）は回転子の斜視図、図２（ｂ）は隔壁の平面図である。
【図３】従来の回転子の一例を示し、図３（ａ）は回転子の斜視図、図３（ｂ）は隔壁の平面図である。
【図４】形状の異なる隔壁を用いてトルク／イナーシャ比を測定した結果を示すグラフである。
【図５】実施の形態１の隔壁の変形例を示し、図５（ａ）は回転子の斜視図、図５（ｂ）は隔壁の平面図である。
【図６】実施の形態１の隔壁の変形例を示し、図６（ａ）は回転子の斜視図、図６（ｂ）は隔壁の平面図である。
【図７】実施の形態１を説明するための参考例を示し、図７（ａ）は回転子の断面図、図７（ｂ）はＡ矢視図である。
【図８】図２の隔壁の変形例を示し、変形した隔壁を適用した回転子の斜視図である。
【図９】図２の隔壁の変形例を示す平面図である。
【図１０】図２の隔壁の変形例を示す平面図である。
【発明を実施するための形態】
【００１０】
以下、この発明をより詳細に説明するために、この発明を実施するための形態について、添付の図面に従って説明する。
実施の形態１．
図１に示すように、磁気誘導子型の電動機（以下、電動機）１は、回転軸２に固着された回転子３と、回転子３を囲むように配設された固定子鉄心８および界磁起磁力発生部を成す永久磁石１２にトルク発生用駆動部を成すコイル１１を装着した固定子７と、これら回転子３および固定子７を収納するケース１３とを備えている。なお、ケース１３が磁性体で形成されていると、永久磁石１２の磁束がケース１３に流れてトルクに寄与困難となるので、ケース１３は非磁性体で形成されることが望ましい。
【００１１】
図２（ａ）に回転子３を拡大した斜視図を示し、図２（ｂ）に隔壁６の平面図を示す。
回転子３は、所定形状に成形された複数の磁性鋼板を、回転軸２の軸方向に積層一体化して作製された第１磁性体４および第２磁性体５と、板状の磁性部材に回転軸２を挿入する挿入孔６ｃが穿設された隔壁６とを備える。
【００１２】
第１磁性体４および第２磁性体５は、概略同一形状に作製され、軸心位置に回転軸２を挿入する挿入孔４ｃ，５ｃ（挿入孔５ｃは図１に示す）が穿設された円筒状の基部４ａ，５ａと、基部４ａ，５ａの外周面から径方向外方に突設されて周方向に等角ピッチで２つ設けられた突極４ｂ，５ｂとから構成されている。第１磁性体４および第２磁性体５は、突極４ｂ，５ｂを周方向に半ピッチずらして、隔壁６を介して相対して互いに密接して配置され、挿入孔４ｃ，５ｃに挿通された回転軸２に固着されて構成されている。
【００１３】
隔壁６は、挿入孔６ｃが穿設された円盤状の基部６ａと、周方向に等角ピッチで４つ、それぞれ基部６ａの外周面から径方向外方へ突設された突部６ｂとから構成されている。また、周方向に隣接する突部６ｂ同士の間４箇所は、それぞれ、切欠部６ｄになっている。基部６ａの外径は、第１磁性体４の基部４ａおよび第２磁性体５の基部５ａの外径より大きい。突部６ｂの外径は、第１磁性体４の突極４ｂおよび第２磁性体５の突極５ｂの外径に一致している。また、突部６ｂは、軸方向から見て第１磁性体４の突極４ｂと第２磁性体５の突極５ｂの間に配置されている。さらに、隔壁６の軸方向の厚みは、永久磁石１２の軸方向の厚みより短い。
【００１４】
図１に示すように、固定子鉄心８は、所定形状に成形された複数の磁性鋼板を、回転軸２の軸方向に積層一体化して作製された第１固定子鉄心９および第２固定子鉄心１０を備える。第１固定子鉄心９および第２固定子鉄心１０は、同一形状に作製され、円筒状のコアバック９ａ，１０ａと、コアバック９ａ，１０ａの外周面から径方向内方に突設されて周方向に等角ピッチで６つ設けられたティース９ｂ，１０ｂとを備える。第１固定子鉄心９および第２固定子鉄心１０は、ティース９ｂ，１０ｂの周方向位置を一致させ、第１磁性体４および第２磁性体５を取り囲む位置に配置されている。また、一対のティース９ｂ，１０ｂに１つのコイル１１が巻回され、これらコイル１１の端部が不図示の配電板（所謂バスバー）に接続される。さらに、コアバック９ａ，１０ａの間には円盤状の永久磁石１２が介装され、この永久磁石１２と隔壁６とが対向するように、固定子７と回転子３とが位置決めされている。
【００１５】
次に、電動機１の動作を説明する。
永久磁石１２の磁束は、図１に矢印で示すように、第２磁性体５の突極５ｂから第１固定子鉄心９に流れ、その後軸方向に流れ、第２固定子鉄心１０から第１磁性体４の突極４ｂに戻るので、突極４ｂ，５ｂが励磁される。このとき、突極４ｂ，５ｂが周方向に半ピッチずれているので、磁束は、軸方向から見るとＮ極とＳ極とが周方向に交互に配置されたように作用する。他方、コイル１１の通電を切り換えることにより、固定子鉄心８のティース９ｂ，１０ｂのＳ極とＮ極を切り換える。すると、永久磁石１２による界磁起磁力と、コイル１１に流れる電流の相互作用でトルクが発生し、回転子３が周方向に回転する。
なお、永久磁石１２の代わりに界磁コイルを設置して界磁起磁力を得てもよい。界磁コイルの場合、ケース１３は磁性体で形成されることが望ましい。
【００１６】
また、隔壁６の軸方向の厚みを、永久磁石１２の軸方向の厚みより薄くしているので、第２固定子鉄心１０から隔壁６を介して第１固定子鉄心９に流れる、トルクに寄与しない磁束の流れの発生を抑制できる。これにより、漏れ磁束が低減され、大きなトルクを確保することができる。
【００１７】
次に、隔壁６を第１磁性体４と第２磁性体５の間に介装することによる効果を説明する。ここでは、上記特許文献１で提案されている円盤状の隔壁２０と、本実施の形態１の突状の隔壁６とを比較しながら説明する。
図３（ａ）に、上記特許文献１で提案されている円盤状の隔壁２０を用いた回転子３の斜視図を示し、図３（ｂ）に隔壁２０の平面図を示す。この隔壁２０は、円盤状の磁性体に回転軸２の挿入孔２０ａが穿設され、外径が第１磁性体４および第２磁性体５の外径と同じに形成されている。
また、図４に、隔壁の形状を変えてトルク／イナーシャ比を測定した結果を示す。グラフ縦軸のトルク／イナーシャ比が大きいほど加速性能が高いことを表す。なお、隔壁２１，２２および隔壁２０＋空洞４ｄ，５ｄについては後述する。
【００１８】
図３に示す従来の隔壁２０が円盤状であるのに対し、図２に示す本実施の形態１の隔壁６では４つの切欠部６ｄを形成したので、切り欠いた分だけ軽量化でき、イナーシャを低減することができる。なお４つの突部６ｂを等角ピッチ、かつ、同一形状に形成しているので、回転子３を高速回転させた場合に軸ぶれが生じることはない。また、これら４箇所を切り欠いても、突部６ｂが突極４ｂ，５ｂの間に存在するため、突極４ｂ，５ｂが突部６ｂを介して磁気的に接続される。そのため、図２（ａ）に矢印で示すように固定子７側から出た磁束が第１磁性体４の突極４ｂに入り、突極４ｂと突極５ｂの間に配された突部６ｂを経由して第２磁性体５の突極５ｂへ流れ、再び固定子７側へ戻る磁路が形成される。さらに、基部６ａの外径を基部４ａ，５ａの外径より大きく形成しているため、突出した部位も磁路として機能する。従って、回転子３の磁束の流れを阻害せず、トルクを維持できる。
【００１９】
また、上記特許文献１に記載されているように、回転子３を高速回転させた場合、第１磁性体４側では周方向に隣り合う突極４ｂ間に渦を巻くような気流が生じる。同様に、第２磁性体５側でも周方向に隣り合う突極５ｂ間に渦を巻くような気流が生じる。このとき、突極４ｂ，５ｂが周方向に半ピッチずれて軸方向に存在しているので、これら突極４ｂ，５ｂの間を遮る部材（即ち、隔壁６の突部６ｂ）が無いと、これら突極４ｂ，５ｂの間を通り抜けて軸方向へ流れる気流が生じて、風損となる。
しかしながら、本実施の形態１では、隔壁６の突部６ｂがこれら突極４ｂ，５ｂの間を遮蔽しているため、軸方向に流れる気流を遮断して風損を低減でき、トルクを維持できる。
【００２０】
以上のように、隔壁６は、隔壁２０と同様に風損を低減してトルクを維持できる一方、隔壁２０に比べてイナーシャを低減できるため、図４に示すように、トルク／イナーシャ比が大きく、加速性能が向上する。
なお、図２では、軸方向に見て突極４ｂ，５ｂの隙間が４箇所あるため、この数に合わせて隔壁６にも４つの突部６ｂを形成したが、対象とする回転子３の突極４ｂ，５ｂの隙間の数に合わせて突部６ｂを形成すればよい。
【００２１】
次に、隔壁６の変形例を、図５および図６を参照しながら説明する。
図５（ａ）の斜視図および図５（ｂ）の平面図に示すように、隔壁２１は、回転軸２の挿入孔２１ｃが穿設された円盤状の基部２１ａと、周方向に等角ピッチで４つ、それぞれ基部２１ａの外周面から径方向外方に向かうに連れて広がる扇形状に突設された突部２１ｂとから構成されている。
この隔壁２１は、隔壁６と同様に円盤を４箇所切り欠いた形状の切欠部２１ｄを形成して軽量化を図っているので、図４に示したように、従来の円盤状の隔壁２０に比べてイナーシャ低減効果が大きく、トルク／イナーシャ比が大きい。その一方で、この隔壁２１は、各突部２１ｂが扇形状に広がっている分だけ隔壁６より体積が増加するので、隔壁６に比べてイナーシャ低減効果がわずかに小さく、トルク／イナーシャ比もわずかに小さい。
【００２２】
図６（ａ）の斜視図および図６（ｂ）の平面図に示すように、隔壁２２は、回転軸２の挿入孔２２ｃが穿設された円盤状の基部２２ａと、周方向に等角ピッチで４つ、それぞれ基部２２ａの外周面から径方向外方に突設された突部２２ｂと、隣り合う突部２２ｂ同士の径方向外方を連結する計４つの連結部２２ｄとから構成されている。
この隔壁２２は、円盤に４箇所の孔２２ｅを形成することにより軽量化を図っているので、図４に示したように、従来の円盤状の隔壁２０に比べてイナーシャ低減効果が大きく、トルク／イナーシャ比が大きい。その一方で、この隔壁２２は、各連結部２２ｄを形成した分だけ隔壁６より体積が増加し、かつ、連結部２２ｄが隔壁２２の外縁部に位置するため、隔壁６に比べてイナーシャ低減効果が小さく、トルク／イナーシャ比も小さい。
【００２３】
なお、軽量化の参考例として、隔壁６，２１，２２ではなく、第１磁性体４および第２磁性体５を軽量化する構成を、図７に示す。
図７（ａ）の断面図および図７（ｂ）のＡ矢視図に示すように、第１磁性体４の２つの突極４ｂそれぞれに空洞４ｄが形成されると共に、第２磁性体５にも同様に２つの空洞５ｄ（図示せず）が形成されている。また、第１磁性体４と第２磁性体５の間には、図３と同じ円盤状の隔壁２０が介装されている。
この回転子３は、第１磁性体４および第２磁性体５を中空構造にして軽量化を図っているので、イナーシャ低減効果はあるが、空洞４ｄ，５ｄにより磁束の流れが阻害されてトルクが低下してしまうため、結果として図４に示したようにトルク／イナーシャ比が小さくなる。このことから、第１磁性体４および第２磁性体５ではなく、隔壁６を軽量化してイナーシャを低減することが好ましい。
【００２４】
以上より、実施の形態１によれば、電動機１は、軸心位置に挿入孔４ｃを有する円筒状の基部４ａの外周に、周方向に等角ピッチで突極４ｂが突設された第１磁性体４、この第１磁性体４と概略同一形状であって互いの突極４ｂ，５ｂを周方向にずらし、かつ軸方向に所定間隔離間して同軸に配置された第２磁性体５、および、挿入孔６ｃを有する板状部材であって第１磁性体４および第２磁性体５の間に互いに密接して介装された隔壁６を有する回転子３と、第１磁性体４、第２磁性体５および隔壁６をそれぞれの挿入孔４ｃ，５ｃ，６ｃに挿通して固着する回転軸２と、第１磁性体４および第２磁性体５のそれぞれを囲む固定子鉄心８、回転子３の突極４ｂ，５ｂを励磁する永久磁石１２、ならびに、回転子３に回転トルクを発生させるコイル１１を有する固定子７を備え、隔壁６は、軸方向に見てずれた位置に配置された第１磁性体４の突極４ｂと第２磁性体５の突極５ｂとに挟まれた部位以外に、切欠部６ｄが形成された構成とした。
同様に、隔壁２１，２２も、軸方向に見てずれた位置に配置された第１磁性体４の突極４ｂと第２磁性体５の突極５ｂとに挟まれた部位以外に、切欠部２１ｄまたは孔２２ｅが形成された構成とした。
このため、切欠部６ｄ，２１ｄまたは孔２２ｅが形成されたことにより、体積を減少させてイナーシャを低減することができる。また、突極４ｂ，５ｂ間の隙間に隔壁６，２１，２２が存在することにより、これら突極４ｂ，５ｂの隙間を通って第１磁性体４から第２磁性体５に流れる軸方向の気流を遮断することができ、風損を低減できる。よって、隔壁６，２１，２２の風損低減効果を損なうことなくイナーシャを低減した電動機１を提供することができる。
【００２５】
また、実施の形態１によれば、隔壁６，２１は、軸心位置に挿入孔６ｃ，２１ｃを有する円盤状の基部６ａ，２１ａと、この基部６ａ，２１ａの外周に周方向に等角ピッチで突設された突部６ｂ，２１ｂとから構成され、突部６ｂ間または突部２１ｂ間が切り欠かれた形状の磁性部材であって、突部６ｂ，２１ｂは、軸方向に見てずれた位置に配置された第１磁性体４の突極４ｂと第２磁性体５の突極５ｂとの間に配置され、これら突極４ｂ，５ｂを磁気的に接続している構成にした。このため、回転子３を流れる磁束を阻害することなくイナーシャを低減することができる。
【００２６】
また、実施の形態１によれば、隔壁６の４つの突部６ｂを同一形状に構成した。同様に、隔壁２１も、４つの突部２１ｂを同一形状に構成した。このため、回転時の軸ぶれを防止でき、高速回転が要求される用途に用いて好適な電動機１を提供することができる。
【００２７】
また、実施の形態１によれば、隔壁６の基部６ａの外径は、第１磁性体４および第２磁性体５の基部４ａ，５ａの外径より大きく構成した。同様に、隔壁２１，２２も、基部２１ａ，２２ａの外径を第１磁性体４および第２磁性体５の基部４ａ，５ａの外径より大きく構成した。このため、基部６ａ，２１ａ，２２ａに磁路が形成されるようになり、回転子３を流れる磁束を阻害することなくイナーシャを低減することができる。
【００２８】
また、実施の形態１によれば、隔壁６の軸方向の厚みを、永久磁石１２の軸方向の厚みより薄く構成した。同様に、隔壁２１，２２も、軸方向の厚みを永久磁石１２の軸方向の厚みより薄く構成した。このため、トルクに寄与しない漏れ磁束を低減することができる。
【００２９】
なお、本願発明はその発明の範囲内において、実施の形態の任意の構成要素の変形、もしくは実施の形態の任意の構成要素の省略が可能である。
【００３０】
図８〜図１０に、隔壁６の変形例を示す。なお、図８〜図１０において図２と同一または相当の部分については同一の符号を付し説明を省略する。
例えば、図８の斜視図に示す隔壁６−１のように、４つの突部６ｂ−１それぞれの両端を軸方向に対して斜めに切り落とした形状にして、最低限の磁路を確保しつつ切欠部６ｄ−１を大きくして軽量化を図り、イナーシャをさらに低減する構成にしてもよい。
また例えば、図９の平面図に示す隔壁６−２のように、基部６ａ−２と突部６ｂ−２の接続部分を曲面形状にして、回転子３の高速回転時にこの接続部分が応力を受けにくい構成にしてもよい。
また例えば、図１０の平面図に示す隔壁６−３のように、基部６ａ−３の外周面を曲面でなく平面形状にしてもよい。
以上のような変形を、隔壁２１，２２に対して適用することも可能である。
【産業上の利用可能性】
【００３１】
以上のように、この発明に係る電動機は、風損低減効果を損なうことなくイナーシャ低減を可能にしたので、電動コンプレッサおよび電動アシストターボなどのタービンを高速で回転駆動する磁気誘導子型同期電動機などに用いるのに適している。
【符号の説明】
【００３２】
１  電動機、２  回転軸、３  回転子、４  第１磁性体、４ａ，５ａ  基部、４ｂ，５ｂ  突極、４ｃ，５ｃ  挿入孔、４ｄ，５ｄ  空洞、５  第２磁性体、６，６−１〜６−３，２０〜２２  隔壁、６ａ，６ａ−１，６ａ−２，６ａ−３，２１ａ，２２ａ  基部、６ｂ，６ｂ−１，６ｂ−２，６ｂ−３，２１ｂ，２２ｂ  突部、６ｃ，６ｃ−１，６ｃ−２，６ｃ−３，２１ｃ，２２ｃ  挿入孔、６ｄ，６ｄ−１，６ｄ−２，６ｄ−３，２１ｄ  切欠部、７  固定子、８  固定子鉄心、９  第１固定子鉄心、９ａ，１０ａ  コアバック、９ｂ，１０ｂ  ティース、１０  第２固定子鉄心、１１  コイル（トルク発生用駆動部）、１２  永久磁石（界磁起磁力発生部）、１３  ケース、２０ａ  挿入孔、２２ｄ  連結部、２２ｅ  孔。
【図１】
0005557971.tif 000002
【図２】
0005557971.tif 000003
【図３】
0005557971.tif 000004
【図４】
0005557971.tif 000005
【図５】
0005557971.tif 000006
【図６】
0005557971.tif 000007
【図７】
0005557971.tif 000008
【図８】
0005557971.tif 000009
【図９】
0005557971.tif 000010
【図１０】
0005557971.tif 000011